【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
絵画の原作者を決定するための方法において、少なくとも
調査すべき絵画または調査すべき絵画の一部を、デジタル化手段,特にスキャナにより少なくとも１つのデータレコードに変換するステップと、
上記データレコードを解析し、このデータレコードにデジタル化されて含まれる特有の特徴またはその特徴の一部、特に点,線,点群,線群またはモデルを、データバンクに蓄積された特徴から選んで決定するステップを備え、
上記調査すべき絵画または調査すべき絵画の一部に特有の特徴を解析および決定するために、ハフ法が用いられ、
上記データレコードに含まれる特有の特徴の参照特徴またはその一部を決定する更なるステップを備え、特有の特徴の参照特徴は、既にデータバンクに蓄積されているか、方法の実行中に作られるかであり、
上記データバンクは、上記蓄積された特徴の夫々に関連づけて追加すべきデータレコードを有する方法。
【請求項２】
請求項１に記載の方法において、上記デジタル化手段の解像度は、任意に設定できることを特徴とする方法。
【請求項３】
請求項１または２に記載の方法において、上記参照特徴は、少なくとも１つの上記特有の特徴または特有の特徴の一部を操作することによって作られることを特徴とする方法。
【請求項４】
請求項１乃至３のいずれか１つに記載の方法において、上記特有の特徴の少なくとも１つの参照特徴は、各特有の特徴またはその一部を拡大または縮小して作られることを特徴とする方法。
【請求項５】
請求項１乃至４のいずれか１つに記載の方法において、上記特有の特徴の少なくとも１つの参照特徴は、各特有の特徴またはその一部を膨脹または圧縮して作られることを特徴とする方法。
【請求項６】
請求項１乃至５のいずれか１つに記載の方法において、上記特有の特徴の少なくとも１つの参照特徴は、各特有の特徴の線またはこの線の一部の曲率を変更することによって作られることを特徴とする方法。
【請求項７】
請求項１乃至６のいずれか１つに記載の方法において、上記特有の特徴の少なくとも１つの参照特徴は、特有の特徴である少なくとも２つの線の間の角度を変更することによって作られることを特徴とする方法。
【請求項８】
請求項１乃至７のいずれか１つに記載の方法によって動作し、絵画の原作者を決定するための装置であって、好ましくはスキャナである少なくとも１つのデジタル化手段(１)と、正規化モジュール(２)と、１つのセグメント化モジュール(３)と、分類器モジュール(４)と、データバンク(５)を備えることを特徴とする装置。
【請求項９】
少なくとも１つのデータ処理ユニットと、少なくとも１つのメモリと、好ましくはスキャナである少なくとも１つのデジタル化手段(１)と、少なくとも１つの正規化モジュール(２)と、少なくとも１つのセグメント化モジュール(３)と、少なくとも１つの分類器モジュール(４)と、データバンク(５)を備えるコンピュータシステムにおいて、上記データ処理ユニットは、請求項１乃至７のいずれか１つに記載の方法によって動作するようにプログラム的に調整されることを特徴とするコンピュータシステム。
【請求項１０】
請求項１乃至７のいずれか１つに記載の方法を実行するように適合させられた指令を備えたコンピュータプログラム。
【請求項１１】
コンピュータプログラムコード手段をもち、コンピュータが読み取れる媒体を備えたコンピュータプログラム製品であって、コンピュータプログラムが入力された後に、請求項１乃至７のいずれか１つに記載の方法を実行するためのプログラムによってコンピュータが指令されることを特徴とするコンピュータプログラム製品。
【請求項１２】
電子的搬送波信号に載せられたコンピュータプログラムを備えたコンピュータプログラム製品であって、コンピュータプログラムが入力された後に、請求項１乃至７のいずれか１つに記載の方法を実行するためのプログラムによってコンピュータが指令されることを特徴とするコンピュータプログラム製品。
【手続補正２】
【補正対象書類名】明細書
【補正対象項目名】０００６
【補正方法】変更
【補正の内容】
【０００６】
上記課題は、本発明による絵画の原作者を決定するための方法によって解決され、この方法は、少なくとも次の各ステップを備える。即ち、
調査すべき絵画またはその絵画の一部を、スキャナなどのデジタル化手段により少なくとも１つのデータレコードに変換するステップと、
上記データレコードを解析し、このデータレコードにデジタル化されて含まれる点,線,点群,線群またはモデルなどの特有の特徴またはその特徴の一部を、データバンクに蓄積された特徴から選んで決定するステップを備え、
上記調査すべき絵画または調査すべき絵画の一部に特有の特徴を解析および決定するために、ハフ法が用いられ、
上記データレコードに含まれる特有の特徴の参照特徴またはその一部を決定する更なるステップを備え、特有の特徴の参照特徴は、既にデータバンクに蓄積されているか、方法の実行中に作られるかであり、
上記データバンクは、上記蓄積された特徴の夫々に関連づけて追加すべきデータレコードを有する。
【手続補正３】
【補正対象書類名】明細書
【補正対象項目名】００２０
【補正方法】変更
【補正の内容】
【００２０】
本発明の実施形態では、調査すべき絵画またはその一部の特有の特徴を解析し,決定するために、ハフ(Hough)法が用いられる。このハフ法では、同名の変換,つまりハフ変換に基づく方法が重要である。ハフ変換は、直線,楕円,他の幾何学的対象の認識に適合している。見つけ出すべき特有の特徴は、このような対象から構成される。ハフ法は、消え去った絵画,つまり幾何学的対象が明瞭に認識できない絵画でも、線の構造を識別できる非常に強靱な方法であることが更に重要である。従って、完全な線のみならず、線のセグメントや他のセグメントおよび幾何学的対象の一部を決定することができる。
【手続補正４】
【補正対象書類名】明細書
【補正対象項目名】００２１
【補正方法】変更
【補正の内容】
【００２１】
本発明の実施形態は、更なるステップにおいてデータレコードに含まれる特有の特徴の参照特徴またはその一部を決定する方法であって、特有の特徴の参照特徴は、既にデータバンクに蓄積されているか、方法の実行中に作られるかであることを特徴とする。本発明で言う特有の特徴の上記参照特徴は、特有の特徴を変更することによってこの特有の特徴自体から作られる。人間の眼は、参照特徴と特有の特徴との僅かな差異さえも認識できる。調査すべき絵画において参照特徴を決定すれば、常に現れうる特有の特徴における僅かな偏差も認識でき、これによって作品を原作者に帰属させる際に生じる間違いを避けることができる。芸術家は、勿論自身を特徴づける個人的な筆跡を持ち、常に類似し,或いは殆ど同一の特定の形態で描画する。しかし、描かれた形態には常に偏差がある。この偏差を認識することおよび場合によっては調査すべき絵画の特有の特徴として決定することが重要である。参照特徴は、絵画加工モジュールを用いて作成される。この絵画加工モジュールは、この技術分野で公知である。従って、これらに限られないが、例えば線,曲線,直線,角または幾何学的に結び付いた外観全体が操作され、その際、特有の特徴またはその一部が操作の出発点となる。